(57)【特許請求の範囲】
【請求項１】
電気機器に備えた合成樹脂製のハウジングには、ボルトを挿通可能なボルト挿通孔が形成され、そのボルト挿通孔の一端の開口縁を陥没させることで、前記ボルトに螺合されるナットを収容可能にしたナット収容部の構造であって、
前記ナット収容部のうち前記ナットの側平面と対向部分には、平坦部と圧入用突部と凹部とが横並びにして設けられ、
前記平坦部は、前記ナットの側平面の一部と平行に隣接されて、そのナットの側平面との当接によって前記ナットの空回りを防ぎ、
前記圧入用突部は、前記平坦部より前記ナット側に突出して、その先端部分が、前記ナット収容部に挿入されたナットにより押し潰される構成とされ
前記凹部は、前記圧入用突部の隣に配置されかつ前記平坦部より前記ナットから離れる側に窪ませてなることを特徴とするナット収容部の構造。
【請求項２】
前記平坦部は、前記ナット収容部における前記ナットの側平面と対向部分のうち、前記ボルトの締付操作に伴って前記ナットの側平面が押しつけられる側の端部に配され、それとは反対側の端部に前記圧入用突部を配したことを特徴とする請求項１記載のナット収容部の構造。
【発明の詳細な説明】
【０００１】
【発明の属する技術分野】
本発明は、電気機器のハウジングに備えたナット収容部の構造に関する。
【０００２】
【従来の技術】
従来、この種のナット収容部の構造として、図６に示したものが知られている。このナット収容部１は、四角形のナットＮを収容するもので、合成樹脂製のハウジング２に貫通形成したボルト挿通孔３の開口縁を陥没させて形成され、ナットＮの各側平面Ｎ１に対応して、４つの内側壁４を有した構造となっている。そして、各内側壁４には、１対ずつの圧入用突部５，５が設けられており、これら圧入用突部５の先端部分がナットＮに押し潰されて、ナットＮがナット収容部１に圧入される。
【０００３】
【発明が解決しようとする課題】
ところで、ナットＮは、各圧入用突部５を均等に押し潰して、ナットＮの側平面Ｎ１とナット収容部１の内側壁４とが平行になるように収容されるのが好ましい。しかし、圧入用突部５は、圧入の作業性を考慮して潰れ易くしてあるので、ナットＮが正規の収容状態（図６（Ｂ）参照）より若干回転した状態で、収容されるという事態が生じ得る。かりに、正規の状態にナットＮが収容されたとしても、ボルト締付時にナットＮに大きな回転力がかかると、ナットＮの側平面Ｎ１により、圧入用突部５が基端側まで押し潰されて、やはり、ナットＮが正規の状態より、若干回転した状態（図６（Ｃ）参照）になってしまう。これにより、ボルトをゆるめたときに、ナットががたついてしまう。一方、圧入用突部を潰れにくくすると、圧入作業が困難になる。
【０００４】
本発明は、上記事情に鑑みてなされたもので、ナットを安定して正規の収容状態にすることが可能なナット収容部の構造の提供を目的とする。
【０００５】
【課題を解決するための手段及び作用・効果】
上記目的を達成するため、請求項１の発明に係るナット収容部の構造は、電気機器に備えた合成樹脂製のハウジングには、ボルトを挿通可能なボルト挿通孔が形成され、そのボルト挿通孔の一端の開口縁を陥没させることで、ボルトに螺合されるナットを収容可能にしたナット収容部の構造であって、ナット収容部のうちナットの側平面と対向部分には、平坦部と圧入用突部と凹部とが横並びにして設けられ、平坦部は、ナットの側平面の一部と平行に隣接されて、ナットの側平面との当接によってナットの空回りを防ぎ、圧入用突部は、平坦部よりナット側に突出して、その先端部分が、ナット収容部に挿入されたナットにより押し潰される構成とされ、凹部は、圧入用突部の隣に配されかつ平坦部よりナットから離れる側に窪ませてなるところに特徴を有する。
【０００６】
請求項１の構成では、ナットの側平面を、ナット収容部の平坦部に沿わせて押し込む。ここで、平坦部は、ナットの側平面の一部と平行に隣接した構造をなすから、この平坦部でもって、ナットを正規の位置に規制しつつ収容することができる。しかも、平坦部と側平面との平面同士の当接によってナットの空回りを防ぐから、大きな回転力がかかっても潰れる心配がない。その上、圧入用突部は隣に凹部を設けることで、圧入用突部の基端側が平坦部より陥没した位置まで延び、圧入用突部全体を大きくすることができる。これにより、圧入用突部が潰れ易くなるから、ナットのナット収容部への圧入作業を容易に行うことができる。
【０００７】
また、平坦部は、ナット収容部におけるナットの側平面と対向部分のうち、ボルトの締付操作に伴ってナットの側平面が押しつけられる側の端部に配され、それとは反対側の端部に圧入用突部を配すれば（請求項２の発明）、ボルト締付時の大きな回転力を、平坦部のみで受け止めて、圧入用突部を必要以上に潰さずに済むから、圧入力を高く保持してナットのがたつきを防止することができる。
【発明の実施の形態】
＜第１実施形態＞
以下、本発明を適用した第１実施形態を図１及び図２に基づいて説明する。
図１の符号１０は、例えば、電気機器としての端子台に備えた合成樹脂製のハウジング（一部のみが示されている）であって、このハウジング１０には、ボルト挿通孔１１が貫通形成されている。
【０００８】
また、ボルト挿通孔１１に通されるボルトＢは、ヘッド部Ｂ１に図示しない断面六角孔を備え、ここに六角レンチを挿入してネジ締め操作される。一方、このボルトＢに螺合されるナットＮは、図１に示すように、全体が正方形をなし、中心にねじ孔Ｎ２を備える。
【０００９】
ハウジング１０のうちボルトＢを挿入する側とは反対側の面には、ボルト挿通孔１１の開口縁を陥没させてナット収容部１２が形成されている。このナット収容部１２は、図２（Ａ）に示すように、ナットＮの各側平面Ｎ１との対向位置に対向壁１３を備え、これら対向壁１３は、ボルト挿通孔１１を中心とした点対称形状をなす。また、ナット収容部１２は、丁度、ナットＮ全体を収容する深さとなっている。
【００１０】
さて、各対向壁１３には、平坦部１５と凹凸部１６とが横並びにして備えられている。ここで、ボルトＢを締付操作したとき、ナットＮは、図２（Ｂ）における反時計回りの方向に回転力を受けて、各対向壁１３の一端側に押しつけられるが、これに対応して、平坦部１５は、対向壁１３のうち上記したナットＮが押しつけられる一端側に配され、凹凸部１６は他端側に配されている。また、図２（Ｂ）に示すように、互いに平行した平坦部１５，１５同士の間隔Ｌ１は、ナットＮの一辺長Ｌ２より若干大きく設定され、これにより、各平坦部１５は、わずかな隙間を介して、ナットＮの各側平面Ｎ１と平行に隣接する。
【００１１】
一方、凹凸部１６は、平坦部１５よりナットＮ側に突出した一対の圧入用突部１７，１７を備えると共に、両圧入用突部１７，１７に挟まれた内側と両外側とには、平坦部１５よりナットＮから離れる側に窪んだ凹部１８が備えられている。なお、本実施形態では、両圧入用突部１７，１７の内側の凹部１８の方が両外側の凹部１８より深くなっている。
【００１２】
次に、本実施形態の作用について説明する。
ナットＮをナット収容部１２に押し込むには、ナットＮの側平面Ｎ１を、ナット収容部１２の平坦部１５に沿わせて押し込む。ここで、平坦部１５は、ナットＮの側平面Ｎ１の一部と平行に隣接した構造をなすから、この平坦部１５でもって、ナットＮを正規の位置に規制しつつ収容することができる。
【００１３】
このとき、ナットＮの例えば下縁部に形成した面取部分（図示せず）にて、圧入用突部１７，１７の先端が基端側に押し潰され、もってナットＮがナット収容部１２内に圧入される。ここで、圧入用突部１７は、その両側に凹部１８，１８を備えることで、先端から基端までの高さが十分に確保されて潰れ易くなっているから、圧入作業を容易に行うことができる。
【００１４】
ナットＮをナット収容部１２内に収容したら、そのナット収容部１２とは反対側からボルトＢをボルト挿通孔１１内に通して、ナットＮに螺合させる。このとき、ボルトＢのネジ締め操作に伴い、ナットＮが、図２（Ｂ）の反時計回り方向に回転力を受け、ナットＮの側平面Ｎ１が、対向壁１３の一端に当接する。しかしながら、対向壁１３の一端には平坦部１５が配されており、その平坦部１５は、側平面Ｎ１と平行な平坦状をなしているから、大きな力でナットＮの側平面Ｎ１が押しつけられても、潰れることはなく、ナット収容部１２内でナットＮが回転しないように規制される。これにより、ナットＮはナット収容部１２内に圧入された状態に保持され、ボルトＢをゆるめたときに、ナット収容部１２内で、ナットＮががたつくことが防がれる。
【００１５】
＜第２実施形態＞
本実施形態は、図３及び図４に示されている。以下、前記第１実施形態と同一の構成に関しては、同一符号を付して重複説明を省略し、異なる構成のみを説明する。
本実施形態のナット収容部１２では、対向壁１３のうち横方向の中央に凹凸部１６が配され、両端部にそれぞれ凹凸部１６，１６が配されている。そして、凹凸部１６は、凹凸部１６よりナットＮ側に突出した圧入用突部１７を１つ備え、その圧入用突部１７の両側に凹部１８が備えられている。
【００１６】
このような構成とすれば、前記第１実施形態の作用効果に加え、凹凸部１６が対向壁１３の両端に配されているから、ナットＮにどちら向きの回転力がかかっても、いずれかの平坦部１５で受け止めることができ、対向壁１３の中央に配された圧入用突部１７が不必要に潰れることを、より確実に防ぐことができる。
【００１７】
＜他の実施形態＞
本発明は、実施形態に限定されるものではなく、例えば、以下に説明するような実施形態も本発明の技術的範囲に含まれ、さらに、下記以外にも要旨を逸脱しない範囲内で種々変更して実施することができる。
【００１８】
（１）前記第１実施形態のナット収容部１２の構成において、対向壁１３における平坦部１５と凹凸部１６の配置を入れ替えて、図５に示すように構成してもよい。このような構成にしても、ナットＮの側平面Ｎ１をナット収容部１２の平坦部１５に沿わせて押し込むことで、上記実施形態と同様に、ナットＮが不正規の方向に回転した状態となって収容されることを防ぐことができる。
【００１９】
（２）前記実施形態では、ナットＮは正方形であったが、長方形であってもよいし、それ以外の多角形であってもよい。
【図面の簡単な説明】
【図１】本発明の第１実施形態に係るナット収容部の斜視図
【図２】ナット収容部の平断面図
【図３】第２実施形態に係るナット収容部の斜視図
【図４】ナット収容部の平断面図
【図５】変形例１のナット収容部の平断面図
【図６】従来のナット収容部の平断面図
【符号の説明】
１０…ハウジング
１１…ボルト挿通孔
１２…ナット収容部
１５…平坦部
１７…圧入用突部
１８…凹部
Ｂ…ボルト
Ｎ…ナット
Ｎ１…側平面
【図１】
0003618639.tif 000002
【図２】
0003618639.tif 000003
【図３】
0003618639.tif 000004
【図４】
0003618639.tif 000005
【図５】
0003618639.tif 000006
【図６】
0003618639.tif 000007